(57)【特許請求の範囲】
【請求項１】
複数のガスバーナを備え、それら複数のガスバーナの各々に個別にガスを供給するガス供給管が設けられており、それらガス供給管の内の少なくとも２本のガス供給管に、モータによってロッドを移動させて弁体を押圧して開弁させる電磁安全弁と、電動アクチュエータによってガスの流量を増減しガスバーナの火力を調節する火力調節手段とが各々配設されたガスコンロ装置において、上記ガス供給管のうちの２本のガス供給管に各々設けられる電磁安全弁を、上記火力調節手段を駆動する電動アクチュエータとは別の１個のモータの正方向への回転により上記ロッドを電磁安全弁の弁体に当接させて一方の電磁安全弁のみを選択し、かつ押圧して開弁させ、このモータの逆方向への回転により上記一方の電磁安全弁の弁体からロッドを退避させて、その弁体に対する押圧を解除すると共に、他方の電磁安全弁を選択し、かつこの他方の電磁安全弁の弁体を押圧して開弁させるように構成したことを特徴とするガスコンロ装置。
【請求項２】
上記１個のモータで交互に選択されて、かつ弁体が押圧されて開弁される２個の電磁安全弁を、開閉弁方向が同じ方向になるように並行に設け、それぞれの電磁安全弁に対してロッドを設け、両ロッドを交互に進退する連結機構で連結させたことを特徴とする請求項１に記載のガスコンロ装置。
【請求項３】
上記１個のモータで進退する１本のロッドを設け、このロッドの一方の端面で上記一方の電磁安全弁を選択し、かつその弁体を押圧して開弁し、他方の端面で上記他方の電磁安全弁を選択し、かつその弁体を押圧して開弁するようにしたことを特徴とする請求項１に記載のガスコンロ装置。
【発明の詳細な説明】
【技術分野】
【０００１】
本発明は、複数のガスバーナを備えたガスコンロ装置に関する。
【背景技術】
【０００２】
この種のガスコンロ装置では上面に配置された天板に複数個のガスバーナが設けられ、さらに前面に開口するクリル庫内にガスバーナが配置される場合が多い。これら複数のガスバーナは個別に点消火されるため、外部のガス栓から導入されたガスを各ガスバーナに分岐するガス供給管に各々ガスの流量を調節する火力調節装置が取り付けられている。
【０００３】
このようなガスコンロ装置は、使用者が行う火力調節量をセンサで検知して、その火力調節量に応じてモータによってガスの流量を調節するものが知られている（例えば、特許文献１参照）。このガスコンロ装置はガスの流量を調節する火力調節機構の他に、ガス通路を開閉する電磁安全弁が設けられている。この電磁安全弁は通常は閉弁しているが、外部からロッドなどで弁体を開弁側に押して強制的に開弁させると、内蔵する電磁石で弁体を開弁状態で吸着保持するものである。この電磁安全弁はガスバーナが消火状態のときに生ガスがガスバーナから漏出することを確実に防止すると共に、消火操作時やガスバーナの立ち消え時に、電磁石による弁体の吸着保持を解除して瞬時にガスの流れを遮断するために用いられている。
【０００４】
従来のガスコンロ装置では、上記火力調節装置として、電磁安全弁と火力調節機構とを一体に構成して１個のモータを取り付け、各ガスバーナについて点火時における電磁安全弁の強制開弁と火力調節機構による火力調節とを、その１個のモータで行っている。
【先行技術文献】
【特許文献】
【０００５】
【特許文献１】特開２００６−１８９２３１号公報（図３、図４）
【発明の概要】
【発明が解決しようとする課題】
【０００６】
上記従来のガスコンロ装置では、電磁安全弁を開弁させるためには、弁体を閉弁方向に付勢している付勢力に抗して弁体を開弁させなければならないので、比較的大きなトルクが必要になる。一方、火力調節を行う為には比較的小さなトルクで良いが、各ガスバーナについて１個のモータで電磁安全弁の開弁と火力調節とを行うため、消費電力が小さなモータで十分な火力調節を、消費電力の大きな大型のモータで行うことになる。
【０００７】
電磁安全弁の開弁のためのモータの稼働時間は比較的短いが、火力調節はそれより長時間にわたってモータを稼働し続けなければならないので、特にモータ駆動用の電源として乾電池を使う場合には乾電池の消耗が大きくなるという不具合もある。
【０００８】
そこで本発明は、上記の問題点に鑑み、ガスバーナへのガスの供給を制御する際に上記の不具合の生じないガスコンロ装置を提供することを課題とする。
【課題を解決するための手段】
【０００９】
上記課題を解決するために本発明によるガスコンロ装置は、複数のガスバーナを備え、それら複数のガスバーナの各々に個別にガスを供給するガス供給管が設けられており、それらガス供給管の内の少なくとも２本のガス供給管に、モータによってロッドを移動させて弁体を押圧して開弁させる電磁安全弁と、電動アクチュエータによってガスの流量を増減しガスバーナの火力を調節する火力調節手段とが各々配設されたガスコンロ装置において、上記ガス供給管のうちの２本のガス供給管に各々設けられる電磁安全弁を、上記火力調節手段を駆動する電動アクチュエータとは別の１個のモータの正方向への回転により上記ロッドを電磁安全弁の弁体に当接させて一方の電磁安全弁のみを選択し、かつ押圧して開弁させ、このモータの逆方向への回転により上記一方の電磁安全弁の弁体からロッドを退避させて、その弁体に対する押圧を解除すると共に、他方の電磁安全弁を選択し、かつこの他方の電磁安全弁の弁体を押圧して開弁させるように構成したことを特徴とする。
【００１０】
従来は各ガスバーナについて電磁安全弁の開弁と火力調節とを１個の大型のモータで行っていたが、火力調節を行う低出力の電動アクチュエータとは別の大型のモータで電磁弁の開弁を行い、さらに、２つのガスバーナへの２系統のガス供給路に各々配置される合計２個の電磁安全弁を１個の大型のモータで開弁するように構成することにより、使用する大型のモータの個数が２つのガスバーナで共有の１個となり、個々に設ける構成に対して半分になる。具体的には、モータの正方向への回転によりこの２個の電磁安全弁の内の一方を選択し、かつその選択した電磁安全弁の弁体を押圧して開弁させ、モータの逆方向への回転により他方の電磁安全弁を選択し、かつこの他方の電磁安全弁の弁体を押圧して開弁させる。また、火力調節は消費電力の小さい小型の電動アクチュエータで行うことができるため、特に駆動用の電源として乾電池を使う場合でも消費電力が小さく有利である。
【００１１】
例えば、１個のモータで交互に選択されて、かつ弁体が押圧されて開弁される上記２個の電磁安全弁を、開閉弁方向が同じ方向になるように並行に設け、それぞれの電磁安全弁に対してロッドを設け、両ロッドを交互に進退する連結機構で連結させることが考えられる。
【００１２】
あるいは、上記１個のモータで進退する１本のロッドを設け、このロッドの一方の端面で上記一方の電磁安全弁を選択し、かつその弁体を押圧して開弁し、他方の端面で上記他方の電磁安全弁を選択し、かつその弁体を押圧して開弁するようにしてもよい。
【発明の効果】
【００１３】
以上の説明から明らかなように、本発明は、電磁安全弁の開弁と火力調節手段とを分離して各々独立して作動させる構成を採用したことによって、必要最小限の出力でよい消費電力の少ない小型の電動アクチュエータで火力調節を行うことにより、全体としての消費電力量を少なくすることができる。また、２系統の電磁安全弁を１個のモータで開弁させることができるので、電磁安全弁の開弁に必要なトルクを発生する大型のモータの個数を削減することができる。
【図面の簡単な説明】
【００１４】
【図１】本発明が適用されるガスコンロの外観を示す図
【図２】ガスコンロ内のガス系統を示す図
【図３】第１の実施の形態の構成を示す斜視図
【図４】第１の実施の形態の内部構造を示す断面図
【図５】第２の実施の形態の構成を示す斜視図
【図６】第２の実施の形態の内部構造を示す断面図
【図７】第３の実施の形態の構成を示す図
【発明を実施するための形態】
【００１５】
図１を参照して、１は電磁安全弁を含む開閉弁部と火力調節部（火力調節手段）とが組み込まれたガスコンロ装置（以下、単にガスコンロという）である。このガスコンロ１には上面に２個のガスバーナ１１，１２と、前面に開口するグリル庫内にグリルバーナ１３とが設けられている。そして各バーナ毎に点消火ボタン１１ａ、１２ａ、１３ａが設けられている。例えば、ガスバーナ１１に点火する際には点消火ボタン１１ａを押し操作すると、前面パネルと面一であった点消火ボタン１１ａが手前側に突出すると共に、ガスコンロ１内ではガスバーナ１１にガスを供給するガス供給管に配設された電磁安全弁を開弁すると共に、ガスバーナ１１の点火に最適な火力になるように火力調節される。
【００１６】
図２を参照して、元弁１４から各バーナ１１，１２，１３にガス供給管が分岐されている。ガスバーナ１１とガスバーナ１２とは同様の構成で有り、共に火力調節部２がガス供給管に配設されている。この火力調節部２は例えばニードル弁２２を小型の電動アクチュエータの一例であるモータ２１によって駆動するものであり、モータ２１を作動させることによりガスバーナ１１，１２に供給されるガス量を弱火に相当する流量から強火に相当する流量まで調節することができる。
【００１７】
両火力調節部２の上流側には開閉弁部３が配設されている。この開閉弁部３にはガスバーナ１１へのガスの供給を遮断する電磁安全弁４１とガスバーナ１２へのガスの供給を遮断する電磁安全弁４２とが組み込まれており、１個の大型のモータ３１によって両電磁安全弁４１，４２は択一的に開弁されるように構成されている。
【００１８】
この開閉弁部３の具体的な構成の第１の実施の形態を図３および図４に示す。２個の電磁安全弁４１，４２は近接して並行に配置されている。そして、両電磁安全弁４１，４２の弁体を押して強制的に開弁させるロッド３２，３３が各々電磁安全弁４１，４２の弁体に対峙して配置されている。
【００１９】
両ロッド３２，３３は各々スライダ３５，３６に連結されている。従って、例えばスライダ３５が電磁安全弁４１に向かってスライドすると、ロッド３２が弁体に近づき、さらに弁体を押して電磁安全弁４１を強制的に開弁させることになる。電磁安全弁４２についても同様にスライダ３６が電磁安全弁４２に向かってスライドすると、ロッド３３が電磁安全弁４２を強制的に開弁させることになる。
【００２０】
両スライダ３５，３６は共に１個の揺動部材３４の両側に設けられた長穴３４ａに係合している。この揺動部材３４はモータ３１の回転軸に取り付けられており、モータ３１が正転すると、両長穴３４ａの内の一方が電磁安全弁に近づき、他方は電磁安全弁から遠ざかる。従って、例えば一方の長穴３４ａにスライダ３５が係合しているとすると、スライダ３５が電磁安全弁４１に近づいて電磁安全弁４１を強制的に開弁させる。尚、その際電磁安全弁４２側のスライダ３６は電磁安全弁４２から遠ざかる方向にスライドするので、電磁安全弁４２が強制的に開弁されることはない。
【００２１】
逆にモータ３１が逆転すれば、スライダ３５は電磁安全弁４１から遠ざかる方向にスライドすると共に、スライダ３６が電磁安全弁４２に近づく方向にスライドするので、電磁安全弁４２は強制的に開弁されることになる。
【００２２】
このように、モータ３１を正逆転することにより２個の電磁安全弁４１，４２のいずれか一方が択一的に強制的に開弁されることになる。上記第１の実施形態では揺動部材３４を用いたが、第２の実施の形態を、図５および図６に示す。
【００２３】
第２の実施の形態では、電磁安全弁４１と電磁安全弁４２とをそれぞれ開弁させるスライダ５６，５７を各々ギヤ５１の長穴５３とギヤ５２の長穴５４とに係合させた。両ギヤ５１，５２は互いに噛合しており、そのため両ギヤ５１，５２は常に互いに逆方向に回転する。従って、モータ３１でギヤ５１を正転させ、スライダ５６を電磁安全弁４１に近づく方向にスライドさせて、電磁安全弁４１を強制的に開弁させると、ギヤ５２は逆転してスライダ５７を電磁安全弁４２から遠ざける方向にスライドさせるので、電磁安全弁４２は強制的に開弁されない。
【００２４】
逆にギヤ５１を逆転させると、スライダ５６は電磁安全弁４１から遠ざかる方向にスライドするが、ギヤ５２は正転するので、スライダ５７を電磁安全弁４２に近づく方向にスライドさせ、電磁安全弁４２を強制的に開弁させる。
【００２５】
ところで、上記第１および第２の実施の形態は共に２個のスライダを用いたが、図７に示す第３の実施の形態のように、１個のスライダを用いる構成を採用することができる。
【００２６】
図７に示すように、２個の電磁安全弁４１を同一軸線上に対向して設け、両電磁安全弁４１，４２の間にスライダとして機能する１個のロッド６を配設した。そして、そのロッド６にラック６２を設けると共に、そのラック６２にピニオンギヤ６１を噛合させた。従って、ピニオンギヤ６１を正逆回転させるとロッド６は往復する。例えばピニオンギヤ６１を正転させてロッド６の一端６３を電磁安全弁４１に向かって移動させると、電磁安全弁４１は開弁するが、その際ロッド６の他端６４は電磁安全弁４２から遠ざかり、電磁安全弁４２を開弁することはない。逆にピニオンギヤ６１を逆転させてロッド６を電磁安全弁４２に近づく方向にスライドさせると、上記他端６４は電磁安全弁４２を開弁させるが、上記一端６３は電磁安全弁４１から遠ざかる方向に移動するので電磁安全弁４１が開弁することはない。ところで、上記の実施の形態では、火力調節部を駆動する電動アクチュエータとしてモータで説明したが、モータ以外のものとして例えばソレノイドを用いてもよい。
【００２７】
なお、本発明は上記した形態に限定されるものではなく、本発明の要旨を逸脱しない範囲内において種々の変更を加えてもかまわない。
【符号の説明】
【００２８】
１  ガスコンロ
２  火力調節部
３  開閉弁部
６  ロッド
３１  モータ
３２  ロッド
３３  ロッド
３４  揺動部材
３５  スライダ
３６  スライダ
４１  電磁安全弁
４２  電磁安全弁
５１  ギヤ
５２  ギヤ
５３  長穴
５４  長穴
５６  スライダ
５７  スライダ
６１  ピニオンギヤ
６２  ラック
【図１】
0006573274.tif 000002
【図２】
0006573274.tif 000003
【図３】
0006573274.tif 000004
【図４】
0006573274.tif 000005
【図５】
0006573274.tif 000006
【図６】
0006573274.tif 000007
【図７】
0006573274.tif 000008